(57)【要約】【課題】  カード自体の強度を保持して回路基板等の破壊を防止できると共に、情報機器に装着された状態でＳＩＭカードが抜き取られるという誤操作を防止できる情報機器用カードを提供する。【解決手段】  本発明のＰＣカード１は、一端にカード端子部３ａが形成され他端にカード他端部３ｂが形成されたカード本体部３からなる。カード他端部３ｂの内部には、チップスロット７が設けられている。このチップスロット７は、挿入口７ａから差し込まれたＳＩＭカード２を、プリント基板９に電気的接続させるように構成されている。チップスロット７の挿入口７ａは、カード他端部３ｂの外側面上で開口している。【選択図】    図１
2006072720.tif 000002
【特許請求の範囲】
【請求項１】
情報機器と電気的接続するカード端子部が一端に形成され該情報機器のカードスロット内に装着されるカード本体部を備え、チップカードを接続保持する情報機器用カードにおいて、
前記カード本体部の他端部には、前記チップカードを装着するチップスロットが設けられ、該チップスロットの挿入口は、前記カード本体部が前記カードスロット内に装着された場合に該カードスロットの挿入口内に配置されており、
前記カード本体部には、前記チップカードを排出するための操作部が設けられ、該操作部は、前記カード本体部が前記カードスロット内に装着された場合に該カードスロットで遮蔽されるように配置されていることを特徴とする情報機器用カード。
【請求項２】
情報機器と電気的接続するカード端子部が一端に形成され該情報機器のカードスロット内に装着されるカード本体部と、該カード本体部が装着された状態で該カードスロットから張り出したカード拡張部とを備え、チップカードを接続保持する情報機器用カードにおいて、
前記カード拡張部には、前記チップカードを装着するチップスロットが設けられ、該チップスロットの挿入口は、前記カード本体部が前記カードスロット内に装着された場合に前記カードスロットの挿入口に通じる外側面に配置されており、
前記カード本体部には、前記チップカードを排出するための操作部が設けられ、該操作部は、前記カード本体部が前記カードスロット内に装着された場合に該カードスロットで遮蔽されるように配置されていることを特徴とする情報機器用カード。
【請求項３】
前記カード拡張部は、その一部又は全部が前記チップカードを透かすように透明又は半透明に形成されていることを特徴とする請求項２記載の情報機器用カード。
【請求項４】
前記操作部は、前記チップカードの挿入方向又は抜取方向に前記チップスロットと連動して往復移動するように構成されていることを特徴とする請求項１〜３の何れかに記載の情報機器用カード。
【発明の詳細な説明】
【技術分野】
【０００１】
本発明は、例えば、携帯型コンピュータやＰＤＡ（Personal Digital Assistant）等の情報機器に差し込まれるＰＣカード等の情報機器用カードに関し、特に、ＳＩＭ（Subscriber Identity Module）カード、ＵＩＭ（User Identity Module）カード又はＵＳＩＭ（Universal Subscriber Identity Module）カード等のように、識別情報が記録されたチップカードを、ＰＣカード（情報機器用カード）に接続保持する技術に関する。
【背景技術】
【０００２】
一般に、この種のＰＣカードには、情報機器（携帯型コンピュータ、以下「ＰＣ」ともいう。）の機能を拡張し、無線通信用の送受信端末として用いられるものがある。このようなＰＣカードの一つを複数の者で使用する場合には、加入者ごとの使用を管理するため、個人データや契約電話番号等の識別情報が記録されたＳＩＭカードをＰＣカードに装着した状態で、そのＰＣカードをＰＣのカードスロットから挿入して電気的接続をし、ＳＩＭカードの識別情報をＰＣカードを介して送信するようにしている。
【０００３】
ところで、ＰＣカードは、ＰＣＭＣＩＡ（Personal Computer Memory Card International Association）の規格に従い、例えばＴｙｐｅ２の場合、その大きさが幅：５４ｍｍ×長さ：８６．５ｍｍ×厚さ：５ｍｍに規定されている。このような極薄のＰＣカードに、厚さが０．８ｍｍ程度のＳＩＭカードを装着する場合、設置スペース等の観点から、種々の設計上の困難を伴う（例えば非特許文献１参照）。
【０００４】
そのため、従来技術においては、ＰＣカードの内部にＳＩＭカードをスライドして挿入するだけの機構を採用し、取り外しの際、ＳＩＭカードの露出部分を掴むためその操作性が悪く、また、掴んだ部分に曲げ応力等が発生するため内部破壊を招くおそれがあった。
【０００５】
近年、上述した操作性や接続信頼性等の問題を解決するため、イジェクト機構を採用したＰＣカードが提案されている。このＰＣカードにおいては、ＰＣカードの中腹部分を切り欠き、その部分に取り付けたイジェクト機構により、ＳＩＭカードをＰＣカードの挿入方向と直交する方向に抜き差しするようにしている。
【非特許文献１】“ＪＩシステムズ”、[平成１６年７月６日検索]、インターネット<http://www.jisystems.co.jp/jisys/icsys/icsys.html>
【発明の開示】
【発明が解決しようとする課題】
【０００６】
従来のＰＣカードにおいては、その動作中にＳＩＭカードが誤って抜き取られた場合、ＰＣカードの回路基板等が破壊するおそれがあるため、ＰＣカードがＰＣに装着された状態では、ＳＩＭカードが抜き取られるような誤操作からＰＣカードを保護する必要がある。
【０００７】
一方、上記イジェクト機構採用のＰＣカードにおいては、ＰＣカードの中腹部分にイジェクト機構用の切り欠きが形成されいるため、ＰＣカード自体の強度が弱くなり、これを補強してもＰＣカードの捩れ等により、この回路基板等を破壊するおそれがあった。また、ＰＣカードの切り欠きやイジェクト機構の挿入口は、ＳＩＭカード又はＰＣカードの回路基板等を、ＰＣ内部の電気的ノイズの影響下におくことになり、これによって生じるノイズはシールドによっても十分に対策しきれないという問題もあった。
【０００８】
従って、本発明の目的は、カード自体の強度を保持して回路基板等の破壊を防止できると共に、情報機器に装着された状態でチップカードが抜き取られるという誤操作を防止できる情報機器用カードを提供することにある。
【０００９】
また、本発明の他の目的は、情報機器の内部で生じる電気的ノイズの影響を受けにくい情報機器用カードを提供することにある。
【課題を解決するための手段】
【００１０】
本発明は、一枚板状の情報機器用カード、又は拡張部付きの情報機器用カードに適用されるもので、前者の場合、情報機器と電気的接続するカード端子部が一端に形成され該情報機器のカードスロット内に装着されるカード本体部を備え、チップカードを接続保持する情報機器用カードにおいて、前記カード本体部の他端部には、前記チップカードを装着するチップスロットが設けられ、該チップスロットの挿入口は、前記カード本体部が前記カードスロット内に装着された場合に該カードスロットの挿入口内に配置されており、前記カード本体部には、前記チップカードを排出するための操作部が設けられ、該操作部は、前記カード本体部が前記カードスロット内に装着された場合に該カードスロットで遮蔽されるように配置されていることを特徴とする情報機器用カードを提供することにより前記目的を達成したものである。
【００１１】
また、本発明は、拡張部付きの情報機器用カードの場合、情報機器と電気的接続するカード端子部が一端に形成され該情報機器のカードスロット内に装着されるカード本体部と、該カード本体部が装着された状態で該カードスロットから張り出したカード拡張部とを備え、チップカードを接続保持する情報機器用カードにおいて、前記カード拡張部には、前記チップカードを装着するチップスロットが設けられ、該チップスロットの挿入口は、前記カード本体部が前記カードスロット内に装着された場合に前記カードスロットの挿入口に通じる外側面に配置されており、前記カード本体部には、前記チップカードを排出するための操作部が設けられ、該操作部は、前記カード本体部が前記カードスロット内に装着された場合に該カードスロットで遮蔽されるように配置されていることを特徴とする情報機器用カードを提供することにより前記目的を達成したものである。
【発明の効果】
【００１２】
本発明によれば、一枚板状の情報機器用カード又は拡張部付きの情報機器用カードの何れであっても、カード本体部の他端部又はカード拡張部に、チップカードを装着するチップスロットを設け、この挿入口をカード本体部の他端部の端面又はカード拡張部の外側面に配置することにより、チップカードを差し込むだけで容易に装着できると共に、カード本体部に切り欠きを設けずにカード自体の強度を保持して回路基板等の破壊を防止できる。
【００１３】
また、本発明によれば、情報機器用カードが情報機器のカードスロット内に装着された場合、チップカードを排出させる操作部を、情報機器のカードスロットで遮蔽することにより、情報機器カードの装着状態では、チップカードが情報機器用カードから抜き取られるという誤操作を防止できる。
【発明を実施するための最良の形態】
【００１４】
以下、本発明の情報機器用端末の好ましい一実施形態（第１実施形態）を図１及び図２を参照して説明する。
【００１５】
図１（ａ）は、本実施形態（第１実施形態）のＰＣカード（情報機器用カード）の概略構成をＳＩＭカード（チップカード）が装着された状態で示す斜視図、図１（ｂ）は、同ＰＣカードをＳＩＭカードが排出された状態で示す斜視図である。図２は、ＰＣ（情報機器）に装着された本施形態のＰＣカードをＳＩＭカードを排出した状態で示す断面図である。
【００１６】
図１又は図２に示すように、本実施形態のＰＣカード１は、一枚板状のＰＣカードであり、ＳＩＭカード２を接続保持し、ＰＣ１０のＰＣスロット（カードスロット）１１に装着された状態で、このＰＣ１０を無線通信端末としてその機能を拡張するものである。ＳＩＭカード２は、識別情報が記録された回路基板（図示しない）を内蔵し、裏面に接続端子２ａが形成された矩形カード状のものである。
【００１７】
図１（ａ）（ｂ）に示すように、本実施形態のＰＣカード１は、一端にカード端子部３ａが形成され他端にカード他端部３ｂが形成されたカード本体部３からなる。
【００１８】
カード本体部３は、金属薄板の上板３１及び下板３２が重ね合わせた状態で樹脂製フレーム枠に組み込まれた薄型の矩形ケース状のものであり、プリント基板９等が内蔵されている。ここに、カード本体部３の「上板」とは、ＰＣカード１がＰＣスロット１1に装着された場合、ＰＣ１０の操作側の面をいい、カード本体部３の「下面」とは、ＰＣ１０の設置側の面をいう。
【００１９】
プリント基板９の一端には、ＰＣカードバス（３２ビット）用のカード端子部３ａが形成されている。このカード端子部３ａは、カード本体部３の一端側（ＰＣカード１の挿入側）から露出し、ＰＣスロット１１の奥部に取り付けられたＰＣ端子部（図示しない）と電気的接続するようになっている。
【００２０】
本実施形態の場合、図１（ａ）（ｂ）又は図２に示すように、カード他端部３ｂの内部には、チップスロット７が設けられている。このチップスロット７は、挿入口７ａから差し込まれたＳＩＭカード２を、チップスライダ２５により装着してプリント基板９の上方に配置し、この状態で、ＳＩＭカード２の接続端子２ａをプリント基板９上のバネ性端子９ａに電気的接続させるものである。また、カード本体部３には、イジェクトスイッチ（操作部）２０が設けられている。このイジェクトスイッチ２０は、ＳＩＭカード２を挿入口７ａから排出するものである。以下、このようなチップスロット７及びイジェクトスイッチ２０の構成を具体的に述べる。
【００２１】
図２に示すように、カード他端部３ｂは、上板３１及び下板３２と、これらの間に配設されたゲート部２１とからなる。チップスロット７の挿入口７ａは、ゲート部２１を貫通して形成され、カード他端部３ｂの外側面（カード端子部３ａ側と反対側の端面）上で開口している。上板３１の下面には、前方ストッパ２４及び後方ストッパ２３が、前後（カード端子部３ａ側とカード他端部３ｂ側との方向）に一定間隔をおいて並んで配設されている。前方ストッパ２４及び後方ストッパ２３の下部には、チップスライダ２５が配設されている。このチップスライダ２５は、断面Ｌ字の板状に形成され、挿入口７ａから挿入されたＳＩＭカード２の先端部分とぴったり係合するようになっている。
【００２２】
そして、チップスライダ２５は、前方ストッパ２４及び後方ストッパ２３の下面に当接してこれらの案内により、ＳＩＭカード２の挿入方向Ａ−又は抜取方向Ａ＋に往復移動可能に配置されている。
【００２３】
一方、チップスライダ２５の上面には、イジェクトスイッチ２０が固着されている。このイジェクトスイッチ２０は、断面略Ｔ字状の部材であり、チップスライダ２５を移動させるものである。上板３１には、スイッチ用凹部３ｃが形成されている。このスイッチ用凹部３ｃは、上記前方ストッパ２４及び後方ストッパ２３に挟まれた空隙部分でイジェクトスイッチ２０を収容し、イジェクトスイッチ２０の上面を上板３１からはみ出させずこれより低い位置に配置するようになっている。
【００２４】
そして、イジェクトスイッチ２５は、スイッチ用凹部３ｃ内でＳＩＭカード２の挿入方向Ａ−又は抜取方向Ａ＋に往復移動するようになっており、これに伴って、チップスライダ２５が連動するようになっている。
【００２５】
また、チップスライダ２５は、ＳＩＭカード２の挿入に伴って、この挿入方向Ａ−に移動し、イジェクトスイッチ２０が前方ストッパ２５に当接することにより、停止するようになっている。このようなチップスライダ２５の停止位置は、ＳＩＭカード２の後端部をチップスロット７の挿入口７ａからはみ出さないように設定されている。
【００２６】
次に、本実施形態のＰＣカード１の使用態様又は作用を説明する。
【００２７】
図１（ａ）（ｂ）に示すように、ＳＩＭカード２を、ＰＣカード１に装着する際、カード他端部３ｂの挿入口７ａから挿入し、チップスロット７内に装着する。この場合、チップスロット７は、ＳＩＭカード２の挿入に伴って、挿入方向Ａ−に移動し、これと連動して、イジェクトスイッチ２０が挿入方向Ａ−に移動する。そして、図２に示すように、このようなＰＣカード１を、ＰＣ１０のＰＣスロット１１内に装着した場合、チップスロット７の挿入口７ａは、ＰＣスロット１１の挿入口１１ａ内で露出して配置されており、イジェクトスイッチ２０は、ＰＣスロット１１の上面で遮蔽されている。
【００２８】
以上述べたように、本実施形態によれば、ＰＣカード１がＰＣスロット１１内に装着された場合、ＳＩＭカード２を排出させるイジェクトスイッチ２０を、このＰＣスロット１１で遮蔽するようにしたことから、ＰＣカード１の装着状態では、ＳＩＭカード２がＰＣカード１から抜き取られるという誤操作を防止できる。
【００２９】
特に、この点について、チップスライダ２５をイジェクトスイッチ２０と連動させるようにしたことから、イジェクトスイッチ２０の操作を伴わなければ、チップスライダ２５をＳＩＭカード２の抜取方向Ａ＋に移動できないため、ＰＣカード１の装着状態におけるＳＩＭカード２の抜取防止を確実にすることができ、また、ＳＩＭカード２をチップスロット７に装着した場合、ＳＩＭカード２の後端部がチップスロット７の挿入口７ａからはみ出ないようにしたことから、ＳＩＭカード２を摘んで抜取ることも防止できる。
【００３０】
また、本実施形態によれば、チップスロット７の挿入口７ａをカード他端部３ｂの端面上に配置したため、ＳＩＭカード２を差し込むだけで容易に装着できると共に、カード本体部３に切り欠きを設けずにカード自体の強度を保持して回路基板等の破壊を防止できる。
【００３１】
さらに、本実施形態によれば、ＰＣカード１がＰＣスロット１１内に装着された状態で、チップスロット７の挿入口７ａがＰＣスロット１１の挿入口１１ａ内で露出しているため、チップスロット７内にＳＩＭカード２が装着されているか否か容易に目視することができる。
【００３２】
次に、本発明の情報機器用端末の好ましい他の一実施形態（第２実施形態）を図３を参照して説明する。
【００３３】
図３は、本実施形態（第２実施形態）のＰＣカード（情報機器用カード）の概略構成をＳＩＭカード（チップカード）が排出された状態で示す斜視図である。
【００３４】
図３に示すように、本実施形態のＰＣカード１Ａは、カード本体部３と、カード拡張部４とからなる、拡張部付きのＰＣカードであり、主に、カード拡張部４に上記チップスロット７が設けられている点が上記第１実施形態と異なっている。以下、この点について詳述し、その他の構成等については、上記第１実施形態と同符号を付してその説明を省略する。
【００３５】
カード拡張部４は、カード本体部３の他端からその長手方向（ＳＩＭカード２の抜取方向）Ａ＋に延出した肉厚のケース体であり、カード本体部３から跨ったプリント基板９の他端部分や、内部アンテナ（図示しない）が内蔵されている。このようなカード拡張部４は、カード本体部３がＰＣスロット１１内に装着された状態で、このＰＣスロット１１の挿入口から張り出して配置されるようになっている。
【００３６】
本実施形態の場合、カード拡張部４の内部には、上記チップスロット７が配設され、このチップスロット７は、ＳＩＭカード２の挿入方向Ａ−に延びてカード本体部３に跨っている。このカード本体部３の内部には、上記チップスライダ２５が配設され、これに上記イジェクトスイッチ２０が固着されている。
【００３７】
チップスロット７の挿入口７ａは、カード拡張部４の外側面（カード端子部３ａと反対側の側面）上で開口しており、カード本体部３がＰＣスロット１１内に装着された場合、ＰＣ１０の端面上におけるＰＣスロット１１の挿入口へ通じる位置に配置されるようになっている（図２参照）。
【００３８】
また、本実施形態の場合、カード拡張部４の上面には、チェック板４ａが嵌め込まれている。このチェック板４ａは、透明又は半透明に形成されてチップスロット７の上方に配置されたもので、チップスロット７にＳＩＭカード２が装着された場合、このＳＩＭカード２を透かすようになっている。
【００３９】
以上述べたように、本実施形態によれば、カード拡張部４に透明又は半透明のチェック板４ａを設けてＳＩＭカード２を透かすようにしたため、チップスロット７にＳＩＭカード２が装着されているか否か容易に認知することができる。
【００４０】
また、本実施形態によれば、カード拡張部４の端面上におけるチップスロット７の挿入口７ａを、ＰＣ１０の端面上におけるＰＣスロット１１の挿入口１１ａへ通じる位置に配置したことから、カード本体部３のプリント基板９と近接する高さでこれにＳＩＭカード２を載置できるため、プリント基板９の接続端子の厚さを小さくでき、これに伴って、カード拡張部４の厚さをも小さくできる。
【００４１】
その他のＰＣカード１Ａの構成及び作用効果は、上記第１実施形態と同様である。
【図面の簡単な説明】
【００４２】
【図１】（ａ）は第１実施形態のＰＣカードの概略構成をＳＩＭカードが装着された状態で示す斜視図、（ｂ）は同ＰＣカードをＳＩＭカードが排出された状態で示す斜視図である。
【図２】ＰＣに装着された第１実施形態のＰＣカードがＳＩＭカードを排出した状態を示す断面図である。
【図３】第２実施形態のＰＣカードの概略構成をＳＩＭカードが排出された状態で示す斜視図である。
【符号の説明】
【００４３】
２              ＳＩＭカード（チップカード）
３              カード本体部
３ａ            カード端子部
３ｂ            カード他端部
４              カード拡張部
７              チップスロット
７ａ            チップスロットの挿入口
１０              ＰＣ（情報機器）
１１              カードスロット
１１ａ            カードスロットの挿入口
２０              イジェクトスイッチ（操作部）
Ａ＋            ＳＩＭカードの抜取方向
Ａ−            ＳＩＭカードの挿入方向
【図１】
2006072720.tif 000003
【図２】
2006072720.tif 000004
【図３】
2006072720.tif 000005